(57)【要約】【課題】偶数ライン分の並行した画像形成を行うことを前提として偶数の単位画像データを記憶している画像形成装置において奇数ラインずつの並行した露光による画像形成を効率よく実行する。【解決手段】主走査方向と副走査方向にＬ×Ｌ画素（Ｌは偶数）単位でパッキングされた単位画像データとして記憶部に画像データを記憶しており、発光素子からの３以上の奇数Ｎの並行した露光を回転多面鏡の回転により感光体上に走査してＮラインずつ画像を形成する際に、前記回転多面鏡のＬ面の走査周期毎にＬ×Ｎラインの露光に必要な複数の単位画像データを前記記憶部から読み出し、この読み出された複数の単位画像データをアンパッキングし、前記Ｌ面のそれぞれについてＮラインずつの露光用の画像データを分配し、前記Ｎラインずつの露光用の画像データにより前記発光素子を発光させ、前記発光素子からのＮラインの露光を回転多面鏡各面で走査するよう制御する。【選択図】図１
2012006192.tif 000002
【特許請求の範囲】
【請求項１】
主走査方向と副走査方向にＬ×Ｌ画素（ここでＬは偶数）単位でパッキングされた単位画像データとして記憶部に画像データを記憶しており、
発光素子からの３以上の奇数Ｎの並行した露光を回転多面鏡の回転により感光体上に走査してＮラインずつ画像を形成する画像形成方法であって、
前記回転多面鏡のＬ面の走査周期毎にＬ×Ｎラインの露光に必要な複数の単位画像データを前記記憶部から読み出し、
この読み出された複数の単位画像データをアンパッキングし、前記Ｌ面のそれぞれについてＮラインずつの露光用の画像データを分配し、
前記Ｎラインずつの露光用の画像データにより前記発光素子を発光させ、
前記発光素子からのＮラインの露光を回転多面鏡各面で走査するよう制御する、
ことを特徴とする画像形成方法。
【請求項２】
前記回転多面鏡のＬ面の走査周期毎に、均等に単位画像データを前記記憶部から読み出す、
ことを特徴とする請求項１記載の画像形成方法。
【請求項３】
前記回転多面鏡の各面の走査周期毎のインデックス信号を生成し、
該インデックス信号から前記回転多面鏡のＬ面の走査周期毎の疑似インデックス信号を生成し、
前記疑似インデックス信号の周期において、Ｌ×Ｎラインの露光に必要な複数の単位画像データを前記記憶部から読み出す、
ことを特徴とする請求項１記載の画像形成方法。
【請求項４】
感光体上において、回転多面鏡のα面による（（Ｎ＋１）／２）の露光と（（Ｎ＋１）／２）＋１の露光の隙間およびそれ以降の隙間に、回転多面鏡のα＋１面による露光が重なるようように補間した状態で露光を繰り返す、
ことを特徴とする請求項１−３のいずれか一項に記載の画像形成方法。
【請求項５】
主走査方向と副走査方向にＬ×Ｌ画素（ここでＬは偶数）単位でパッキングされた単位画像データとして画像データを記憶する記憶部と、
少なくとも奇数Ｎの並行した画像データに応じた発光が可能な発光素子と、
前記発光素子からの奇数Ｎの並行した発光を感光体上に走査する回転多面鏡と、
前記回転多面鏡による露光の走査と直交する方向に相対的に移動することでＮラインずつ画像が形成される感光体と、
前記回転多面鏡のＬ面の走査周期毎にＬ×Ｎラインの露光に必要な複数の単位画像データを前記記憶部から読み出し、この読み出された複数の単位画像データをアンパッキングし、前記Ｌ面のそれぞれについてＮラインずつの露光用の画像データを分配し、前記Ｎラインずつの露光用の画像データにより前記発光素子を発光させ、前記発光素子からのＮの露光を回転多面鏡各面で走査するよう制御する制御部と、
を有することを特徴とする画像形成装置。
【請求項６】
前記制御部は、前記回転多面鏡のＬ面の走査周期毎に、均等に単位画像データを前記記憶部から読み出すよう制御する、
ことを特徴とする請求項５記載の画像形成装置。
【請求項７】
前記制御部は、
前記回転多面鏡の各面の走査周期毎のインデックス信号を生成し、
該インデックス信号から前記回転多面鏡のＬ面の走査周期毎の疑似インデックス信号を生成し、
前記疑似インデックス信号の周期において、Ｌ×Ｎラインの露光に必要な複数の単位画像データを前記記憶部から読み出す、
よう制御することを特徴とする請求項５記載の画像形成装置。
【請求項８】
前記制御部は、感光体上において、回転多面鏡のα面による（（Ｎ＋１）／２）の露光と（（Ｎ＋１）／２）＋１の露光の隙間およびそれ以降の隙間に、回転多面鏡のα＋１面による露光が重なるようように補間した状態で露光を繰り返すよう制御する、
ことを特徴とする請求項５−７のいずれか一項に記載の画像形成装置。
【発明の詳細な説明】
【技術分野】
【０００１】
本発明は、画像処理方法および画像形成装置に関し、特に、感光体への露光を奇数ラインの露光を並行して行う場合の効率的なデータ処理技術に関する。
【背景技術】
【０００２】
画像形成装置において、大容量のハードディスクドライブ（以下、ＨＤＤ）などの記憶部を備えて画像データを蓄積しておき、このように蓄積された画像データを所望のタイミングで記憶部から読み出して画像形成するといった使用方法がある。
【０００３】
なお、近年の画像形成装置は、高速に高精細な画像形成を行うため、発光素子から感光体に対して、副走査方向に複数の露光を並行して行うものがある。
【０００４】
ところで、図４（ａ）に示すように、発光素子から８ライン分の発光を行い、ポリゴンミラー１面の走査で８ライン（１−１〜１−８）の走査を行う画像形成装置が存在しているとする。この画像形成装置の場合、８ラインの並行した走査によって画像形成を高速に行うことが可能である。この場合、感光体を副走査方向に駆動することで、ポリゴンミラーの次の面では、先ほどの１−８のラインの次に更に８ライン（２−１〜２−８）の画像形成を行うようにする。
【０００５】
ところで、ポリゴンミラーの回転数（主走査速度）を２倍にして、この画像形成装置の発光素子の８ライン分のうちの７ライン分（１−１〜１−７）の発光を行う（図４（ｂ））ことで、１−４と１−５のラインの間にポリゴンミラーの次の面の走査の１ライン目（２−１）がくるように露光が重なるようように補間した状態で、発光素子の８ライン分のうちの７ライン分（２−１〜２−７）の発光を行う（図４（ｃ））。同様に、ポリゴンミラーの次の面の２−４と２−５のラインの間にポリゴンミラーの更に次の走査の１ライン目（３−１）がくるように露光が重なるようように補間した状態で、発光素子の８ライン分のうちの７ライン分（３−１〜３−７）の発光を行う（図４（ｄ））。これをくり返すことで、単純の８ラインの露光による画像形成と比べて２倍の画像形成密度とすることができる。
【０００６】
なお、以下の特許文献などにも、このような補間した状態の画像形成について提案がなされている。
【先行技術文献】
【特許文献】
【０００７】
【特許文献１】特開２００６−６９０６３号公報
【特許文献２】特開２００３−２６６７５６号公報
【特許文献３】特開２００９−１６０８１２号公報
【発明の概要】
【発明が解決しようとする課題】
【０００８】
なお、以上の図４（ａ）のような画像形成装置の場合、画像データをそのままの状態でＨＤＤに記憶させるのではなく、所定の画素数毎にまとめてパッキングすることが行われる。このようなパッキングをすることで、画像データの取り扱いが容易になり、また、高速に扱えるというメリットがある。たとえば、主走査方向と副走査方向に２×２画素といった偶数画素単位でパッキングされた単位画像データとして画像データを記憶する。
【０００９】
たとえば、以上の図４（ａ）のような画像形成装置の場合、８ライン分の並行した画像形成を行うには、２×２画素でパッキングされた単位画像データを４つずつＨＤＤから読み出すことで、効率的に８ライン分の画像形成用データを生成することができる。
【００１０】
ところが、図４（ｂ）以降の奇数７ライン分の並行した画像形成を行う場合には、まず、２×２画素の単位画像データを４つ読み出して、８ライン分の画像形成用データを生成し、７ライン分の画像形成用データで画像形成を行うと共に、１ライン分は別途ラインメモリを用意して保持しておく。次の７ライン分の並行した画像形成を行う場合には、２×２画素の単位画像データを３つ読み出して、６ライン分の画像形成用データを生成し、先ほどラインメモリに保持しておいた１ライン分の画像形成用データと合わせて７ライン分の画像形成用データを生成する。以下、このような動作を繰り返す。
【００１１】
すなわち、偶数ライン分の並行した画像形成を行うことを前提として偶数の単位画像データを記憶している画像形成装置において奇数ライン分の並行した画像形成を行うためには、以上のような不均等な単位画像データの読み出し、余り分の画像形成用データの保持と付加、といった複雑で非効率的な処理が必要になる。また、以上の不均等な単位画像データの読み出しを行うには、単位画像データの読み出し個数の変更と、読み出しタイミングの変更とが必要となる。
【００１２】
本発明は、偶数ライン分の並行した画像形成を行うことを前提として偶数の単位画像データを記憶している画像形成装置において奇数ラインずつの並行した露光による画像形成を効率よく実行することが可能な画像処理方法および画像形成装置を提供することを目的とする。
【課題を解決するための手段】
【００１３】
上述した課題を解決する本願発明は、以下に述べる通りである。
【００１４】
この発明は、主走査方向と副走査方向にＬ×Ｌ画素（ここでＬは、正の整数であり偶数）単位でパッキングされた単位画像データとして記憶部に画像データを記憶しており、発光素子からの３以上の奇数Ｎの並行した露光を回転多面鏡の回転により感光体上に走査してＮラインずつ画像を形成する際に、前記回転多面鏡のＬ面の走査周期毎にＬ×Ｎラインの露光に必要な複数の単位画像データを前記記憶部から読み出し、この読み出された複数の単位画像データをアンパッキングし、前記Ｌ面のそれぞれについてＮラインずつの露光用の画像データを分配し、前記Ｎラインずつの露光用の画像データにより前記発光素子を発光させ、前記発光素子からのＮラインの露光を回転多面鏡各面で走査するよう制御する、ことを特徴とする。
【００１５】
ここで、前記回転多面鏡のＬ面の走査周期毎に、均等に単位画像データを前記記憶部から読み出す、ことを特徴とする。
【００１６】
なお、前記回転多面鏡の各面の走査周期毎のインデックス信号を生成し、該インデックス信号から前記回転多面鏡のＬ面の走査周期毎の疑似インデックス信号を生成し、前記疑似インデックス信号の周期において、Ｌ×Ｎラインの露光に必要な複数の単位画像データを前記記憶部から読み出す、ことを特徴とする。
【００１７】
また、感光体上において、回転多面鏡のα面による（（Ｎ＋１）／２）の露光と（（Ｎ＋１）／２）＋１の露光の隙間およびそれ以降の隙間に、回転多面鏡のα＋１面による露光が重なるようように補間した状態で露光を繰り返す、ことを特徴とする。
【発明の効果】
【００１８】
この発明では、主走査方向と副走査方向にＬ×Ｌ画素（ここでＬは偶数）単位でパッキングされた単位画像データとして記憶部に画像データを記憶しており、発光素子からの３以上の奇数Ｎの並行した露光を回転多面鏡の回転により感光体上に走査してＮラインずつ画像を形成する際に、前記回転多面鏡のＬ面の走査周期毎にＬ×Ｎラインの露光に必要な複数の単位画像データを前記記憶部から読み出してアンパッキングし、前記Ｌ面のそれぞれについてＮラインずつの露光用の画像データを分配し、前記Ｎラインずつの露光用の画像データにより前記発光素子を発光させてＮラインの露光を行うことで、偶数ライン分の並行した画像形成を行うことを前提として偶数の単位画像データを記憶している画像形成装置において奇数ラインずつの並行した露光による画像形成を、不均等な単位画像データの読み出しや余り分の画像形成用データの保持と付加といった複雑で非効率的な処理を必要とせずに効率よく実行することが可能になる。
【図面の簡単な説明】
【００１９】
【図１】本発明の実施形態の構成を示す構成図である。
【図２】本発明の実施形態の動作を示すフローチャートである。
【図３】本発明の実施形態の動作を示すタイムチャートである。
【図４】奇数ラインずつの画像形成の様子を示す説明図である。
【図５】本発明の画像形成装置の構成を示す構成図である。
【発明を実施するための形態】
【００２０】
以下、図面を参照して本発明の画像処理方法および画像形成装置を実施するための形態（実施形態）を詳細に説明する。
【００２１】
〔画像形成装置の構成〕
ここで、第一実施形態の電子写真方式の画像形成装置１００の構成を、図１に基づいて詳細に説明する。なお、画像形成装置１００として既知であって、本実施形態の特徴的な動作や制御に直接に関係しない一般的な部分についての説明は省略してある。
【００２２】
図１に示す画像形成装置１００は、各部を制御する全体制御部１０１、操作者が各種操作入力を行うと共に各種表示を行う操作表示部１０５、外部からの画像データの供給を受けるプリンタコントローラ１１０、原稿を読み取って画像データを生成するスキャナ１２０、入力画像データに対して入力画像処理を施す入力画像処理部１３０、画像データや各種データを記憶する記憶部１４０、記憶部１４０で記憶された画像データに対して出力画像処理を施す出力画像処理部１５０、画像データに基づいて記録紙上に画像を形成するプリントエンジン１６０、を備えて構成されている。
【００２３】
ここで、全体制御部１０１は、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。
【００２４】
ここで、操作表示部１０５は、キーボード、マウス、タッチパネル等の入力デバイスを備え、入力される各種指示信号を全体制御部１０１に送信する。また、操作表示部１０５は、ＬＣＤ（Liquid Crystal Display）やＣＲＴ（Cathode Ray Tube）等の表示手段を備え、全体制御部１０１から入力される各種画像データを表示する。なお、この操作表示部は操作部と表示部が別であってもよいが、表示されたアイコンあるいはキー（以下、「キー」と呼ぶ）を押下するタッチパネルであってもよい。
【００２５】
入力画像処理部１３０は、スキャナ１２０で得られた入力画像データに対して、シェーディング補正、変倍処理、傾き補正処理、色変換（ＲＧＢ→ＹＭＣＫ）などの入力画像処理を施す。なお、入力画像処理部１３０は、プリンタコントローラ１１０経由で得られた入力画像データに対しても、必要に応じて入力画像処理を施す。
【００２６】
出力画像処理部１５０は、記憶部１４０で記憶された画像データに対して、画像形成に必要なプリンタガンマ変換、誤差拡散処理、微笑変倍処理などの出力画像処理を施す。
【００２７】
プリントエンジン１６０は、電子写真方式や各種方式の画像形成部や印刷装置であり、複写機やプリンタやファクシミリ装置などにおいて所定の記録紙上に画像を形成して出力するものである。なお、このプリントエンジン１６０は、レーザダイオードなどの発光素子からの光ビームをポリゴンミラーなどの回転多面鏡（以下、ポリゴンミラー）によって走査光にして、感光体上に露光を行うものである。さらに、この実施形態のプリントエンジン１６０では、発光素子からの３以上の奇数Ｎの並行した露光をポリゴンミラーの回転により感光体上に走査してＮラインずつ画像を形成することが可能に構成されている。
【００２８】
また、記憶部１４０は、記憶に関する各種制御を実行する記憶制御部１４１、バースト転送が可能なDDR SDRAM(Double-Data-Rate Synchronous Dynamic Random Access Memory)などの半導体メモリを使用して一度に転送できるメモリ量を増大させた状態で画像データを記憶する画像メモリ１４２、画像データなどを不揮発性記憶するＨＤＤ(Hard Disc Drive)１４３、を備えて構成される。
【００２９】
ここで、ＨＤＤ１４３は、画像形成の際の主走査方向（ポリゴンミラーによる露光の走査方向）と副走査方向（走査光に対する感光体の相対移動方向）にＬ×Ｌ画素（ここでＬは偶数）単位でパッキングされた単位画像データとして画像データを記憶している。
【００３０】
そして、記憶制御部１４１は、ポリゴンミラーのＬ面の走査周期毎にＬ×Ｎラインの露光に必要な複数の単位画像データを記憶部としてのＨＤＤ１４３から読み出し、読み出された複数の単位画像データを画像メモリ１４２上でアンパッキングし、Ｌ面のそれぞれについてＮラインずつの露光用の画像データを分配するよう制御する。
【００３１】
なお、全体制御部１０１と記憶制御部１４１とで、後述するように本実施形態の特徴的な動作を実現しており、請求項における制御部を構成している。
【００３２】
なお、以上のように複数Ｎラインを並行して画像形成するプリントエンジン１６０について、図５に構成を示す。なお、この図５では、紙面の都合により、２ラインの露光を行う状態を示している。
【００３３】
プリントエンジン１６０内では、露光用の画像データに応じて、発光素子１６０１が複数の光ビームを発生する。そして、発光素子１６０１からの光ビームは、ポリゴンミラー１６１０の回転により主走査方向に走査される。ポリゴンミラー１６１０で走査された光ビームは、ｆθレンズ１６２０により等速で走査するように調整される。さらに、シリンドリカルレンズ１６３０を通過して感光体１６５０に書き込まれる。
【００３４】
そして、この主走査方向の露光を行いつつ、感光体１６５０を回転させることで副走査を行う。すなわち、主走査方向の露光を副走査方向に繰り返すことで、１頁分の画像形成を実行している。また、主走査方向の露光については、Ｎラインずつ並行して行う。
【００３５】
なお、ポリゴンミラー１６１０で走査された光ビームの一部はインデックスセンサ１６４０に導かれて、主走査の基準位置の露光タイミング示すインデックス信号が生成される。
【００３６】
〔画像形成装置の動作〕
ここで、第一実施形態の画像形成装置１００の動作（画像処理方法）について、図２のフローチャートと図３のタイムチャートとを参照して説明する。
【００３７】
ここで、この実施形態のプリントエンジン１６０では、発光素子から８ライン分の発光（図４（ａ）参照）を順次繰り返し行って画像形成を実行することと、ポリゴンミラーの回転数（主走査速度）を２倍にして発光素子から７ライン分の半分ずつが重なる発光（図４（ｂ）〜（ｄ））を繰り返し行うことで副走査方向に2倍の解像度の画像形成を実行することの、切り替えが可能であるとする。
【００３８】
また、ＨＤＤ１４３は、画像形成の際の主走査方向（ポリゴンミラーによる露光の走査方向）と副走査方向（走査光に対する感光体の相対移動方向）に、Ｌ×Ｌ画素（ここでＬ＝２）単位でパッキングされた単位画像データとして画像データを記憶しているものとする。
【００３９】
すなわち、以上の図４（ａ）のような場合、８ライン分の並行した画像形成を行うには、２×２画素でパッキングされた単位画像データを４つずつＨＤＤから読み出すことで、効率的に８ライン分の画像形成用データを生成することができる。
【００４０】
そして、以上の図４（ｂ）〜（ｄ）のような場合、すなわち請求項におけるＮを７として、奇数７ライン分の並行した画像形成を行う際に、請求項におけるＬ＝２として２×２画素でパッキングされた単位画像データを、どのように読み出し制御するかについて、以下に説明する。
【００４１】
なお、図４（ｂ）〜（ｄ）の状態は、感光体１６５０上において、ポリゴンミラー１６１０のα面による（（Ｎ＋１）／２）の露光と（（Ｎ＋１）／２）＋１の露光の隙間およびそれ以降の隙間に、ポリゴンミラー１６１０のα＋１面による露光が重なるようように補間した状態で露光を繰り返すことを意味している。
【００４２】
まず、全体制御部１０１は、ポリゴンミラー１６１０の回転数（主走査速度）を通常状態の画像形成の２倍にして、発光素子の８ライン分のうちの７ライン分の発光を行うことで、４と５のラインの間にポリゴンミラー１６１０の次の面の走査の１ライン目がくるように露光が重なるようように、ポリゴンミラー１６１０の回転数、感光体１６５０の副走査方向駆動速度、記憶部１４０での画像処理など各部を制御する（図１中のステップＳ１０１）。
【００４３】
また、プリントエンジン１６０内のインデックスセンサ１６４０によりポリゴンミラー１６１０の回転に応じた露光を検知してインデックス信号（図３（ａ））を生成しているが、ポリゴンミラー１６１０のＬ面（ここでは、Ｌ＝２）の走査周期毎にＬ×Ｎ（ここでは、２×７）ラインの露光に必要な複数の単位画像データをＨＤＤ１４３から読み出すため、インデックス信号（図３（ａ））のパルスを１／Ｌ（ここでは、１／２）に間引いて周期をＬ倍（ここでは２倍）にした疑似インデックス信号を全体制御部１０１が生成する（図３（ｂ）参照）。
【００４４】
さらに、全体制御部１０１は、この疑似インデックス信号の周期、すなわち、ポリゴンミラー１６１０のＬ面の走査周期毎にＬ×Ｎラインの露光に必要な複数の単位画像データをＨＤＤ１４３から読み出すために、この疑似インデックス信号の周期内をＬ×Ｎ（ここでは、２×７＝１４）分割したタイミング信号を生成する（図３（ｃ）参照）。
【００４５】
そして、このタイミング信号に従い、記憶制御部１４１は、Ｌ×Ｎラインの露光に必要な１４ライン分の単位画像データをＨＤＤ１４３から読み出す（図２中のステップＳ１０２）。この場合、合計で１４ライン分の単位画像データを必要とするため、２×２画素でパッキングされた単位画像データを７つずつＨＤＤ１４３から読み出せばよい。
【００４６】
さらに、記憶制御部１４１は、読み出された１４ライン分の単位画像データを画像メモリ１４２上でアンパッキングし、元のインデックス信号（図３（ｄ））のタイミングに従って、Ｌ面（ここでは２面）のそれぞれについて、７ラインずつの露光用の画像データを分配する（（図２中のステップＳ１０３）図３（ｅ）〜（ｋ）の１−１〜１−７と２−１〜２−７）。
【００４７】
そして、全体制御部１０１は、以上のように分配された７ラインずつの露光用の画像データに応じて、出力画像処理部１５０とプリントエンジン１６０で所定の処理を実行させ、ポリゴンミラー１６１０の各面毎に７ラインずつの露光用の画像データにより発光素子を発光させて画像形成を実行する（図２中のステップＳ１０４）。
【００４８】
そして、全体制御部１０１と記憶制御部１４１との制御により、以上のポリゴンミラー１６１０の２面毎にまとめた処理を、画像形成が完了するまで繰り返す（図２中のステップＳ１０５）。すなわち、同じタイミングの処理を繰り返す。
【００４９】
以上のように、この実施形態では、主走査方向と副走査方向に２×２画素単位でパッキングされた単位画像データとしてＨＤＤ１４３に画像データを記憶しており、発光素子からの奇数７ラインの並行した露光をポリゴンミラー１６１０の回転により感光体１６５０上に走査して７ラインずつ画像を形成する際に、ポリゴンミラーの２面の走査周期毎に２×７ラインの露光に必要な複数の単位画像データをＨＤＤ１４３から読み出してアンパッキングし、２面のそれぞれについて７ラインずつの露光用の画像データを分配し、７ラインずつの露光を行うようにしている。このため、偶数ライン分の並行した画像形成を行うことを前提として偶数の単位画像データを記憶している画像形成装置において、奇数ラインずつの並行した露光による画像形成を、不均等な単位画像データの読み出しや余り分の画像形成用データの保持と付加といった複雑で非効率的な処理を必要とせずに、効率よく実行することが可能になる。
【００５０】
すなわち、偶数ライン分の並行した画像形成を行うことを前提として偶数の単位画像データを記憶している画像形成装置において奇数ライン分の並行した画像形成を行うためには、従来では８，６，８，６，…といった不均等な単位画像データの読み出し、余り１ライン分の画像形成用データの保持と付加、といった複雑で非効率的な処理、これらを実現する調停回路といったものが必要になっていた。しかし、本実施形態では均等な処理で済むため、このような複雑なタイミングの処理が不要になり、効率のよい処理が可能になる。
【００５１】
なお、以上の実施形態では、Ｌ＝２、Ｎ＝７の場合を具体例にしてきたが、これらに限定されるものではなく、各種の数値において同様な処理が可能になる。
【００５２】
また、以上の実施形態は、モノクロ画像形成だけでなく、カラー画像形成において各色の画像形成に適用することが可能である。
【符号の説明】
【００５３】
１００  画像形成装置
１０１  全体制御部
１０５  操作部
１１０  プリントコントローラ
１２０  スキャナ
１３０  入力画像処理部
１４０  記憶部
１４１  記憶制御部
１４２  画像メモリ
１４３  ＨＤＤ
１５０  出力画像処理部
１６０  プリントエンジン
【図１】
2012006192.tif 000003
【図２】
2012006192.tif 000004
【図３】
2012006192.tif 000005
【図４】
2012006192.tif 000006
【図５】
2012006192.tif 000007